(57)【要約】  平坦な格子システムと組み合わされて使用することで、湾曲状あるいは波状の天井面の外観を呈する湾曲状吊り天井パネル。この湾曲状吊り天井パネルには、湾曲状外面を備えている。この湾曲状パネルには、湾曲状外面に取り付けられた一対の対向側壁が含まれており、また、第１縁部に沿った湾曲面と第２縁部に沿った実質的に直線状の面とが含まれている。直線状縁部には、このパネルを平坦な格子システムの格子部材へ取り付けることができるフランジが含まれている。これらの湾曲状パネルは、湾曲状外面が格子部材の上方にあるようにするために格子の内側で反転させることができるように設計されている。据え付けの際、これらの湾曲状パネルは、波打ち状あるいは波状のパターンを形成して、下方から見た場合に所望の効果をもたらすように配置することができる。【選択図】  図１
2008507643.tif 000002
【特許請求の範囲】
【請求項１】
構造体へ連結するための吊り下げ式湾曲状パネル天井システムであって、
水平状格子を形成するために交差している複数の直線状格子部材と、
前記格子へ連結されるようになっている複数の湾曲状パネルであり、湾曲壁によって相互に連結された第１上方延出状側部と第２上方延出状側部とを有し、前記湾曲壁が第１面と第２面とを有し、前記第１および第２側部のそれぞれが湾曲状縁部と実質的に直線状の縁部とを有している、前記複数の湾曲状パネルと、
前記側部のそれぞれの実質的に直線状の縁部に沿って形成され、前記湾曲状パネルを前記水平状格子の内側に支持するようになっている第１および第２フランジと、
を備える、吊り下げ式湾曲状パネル天井システム。
【請求項２】
前記湾曲壁が、第１縁部および第２縁部で終端している、請求項１に記載の吊り下げ式湾曲状パネル天井システム。
【請求項３】
第１および第２縁部が、第１および第２縁部に沿って形成された第３および第４フランジをそれぞれ含み、これら第３および第４フランジが、前記湾曲状パネルを前記水平状格子の内側に支持するようになっている、請求項２に記載の吊り下げ式湾曲状パネル天井システム。
【請求項４】
前記第１および第２フランジが、前記湾曲状パネルを前記水平状格子の内側に支持するとともに前記位置を保持するようになっているタブを含む、請求項１に記載の吊り下げ式湾曲状パネル天井システム。
【請求項５】
前記湾曲状パネルが、前記水平状格子の内側における第１位置に向けられており、前記湾曲壁の前記第１面が、前記水平状格子の下方から見ることができる、請求項１に記載の吊り下げ式湾曲状パネル天井システム。
【請求項６】
前記湾曲状パネルが、前記水平状格子の内側における第２位置に向けられており、前記湾曲壁の前記第２面が、前記水平状格子の下方から見ることができる、請求項１に記載の吊り下げ式湾曲状パネル天井システム。
【請求項７】
前記湾曲状パネルが、金属で組み立てられている、請求項１に記載の吊り下げ式湾曲状パネル天井システム。
【請求項８】
前記湾曲状パネルが、ポリマーで組み立てられている、請求項１に記載の吊り下げ式湾曲状パネル天井システム。
【請求項９】
構造体へ連結するための吊り下げ式湾曲状パネル天井システムであって、
水平状格子を形成するために交差している複数の直線状格子部材と、
前記格子へ連結されるようになっている複数の湾曲状パネルであり、湾曲壁によって相互に連結された第１上方延出状側部と第２上方延出状側部とを有し、前記湾曲壁が第１面と第２面とを有し、前記第１および第２側部のそれぞれが湾曲状縁部と実質的に直線状の縁部とを有している、前記複数の湾曲状パネルと、
前記側部のそれぞれの実質的に直線状の縁部に沿って形成され、前記湾曲状パネルを前記水平状格子の内側に支持するようになっている嵌め込み型フランジと、
を備える、吊り下げ式湾曲状パネル天井システム。
【請求項１０】
前記湾曲状天井パネルが、
前記直線状格子部材へ連結されるようになっているヒンジであり、前記格子から前記湾曲状天井パネルを取り外す必要なく前記湾曲状天井パネルが閉鎖位置から開放位置まで枢動することができるようにもなっている前記ヒンジを
さらに含む、請求項９に記載の吊り下げ式湾曲状パネル天井システム。
【請求項１１】
吊り下げ式天井とともに使用するための湾曲状天井パネルであって、
第１面と第２面とを有している湾曲壁と、
前記湾曲壁に隣接し、湾曲状縁部と実質的に直線状の縁部とを有している上方延出状第１側壁と、
前記湾曲壁に隣接するとともに前記第１側壁に対向しており、湾曲状縁部と実質的に直線状の縁部とを有している上方延出状第２側壁と、
前記第１側壁の前記直線状縁部から外方へ延びている実質的に直線状の第１フランジと、
前記第２側壁の前記直線状縁部から外方へ延びている実質的に直線状の第２フランジと、
を備え、
前記第１側壁と前記第２側壁とが、前記湾曲壁によって相互に連結されている、湾曲状天井パネル。
【請求項１２】
前記湾曲壁が、前記第１および第２直線状フランジを通過する平面にて終端している一対の縁部を有している、請求項１１に記載の湾曲状天井パネル。
【請求項１３】
前記湾曲壁の前記縁部が、実質的に直線状のフランジをそれぞれ含む、請求項１２に記載の湾曲状天井パネル。
【請求項１４】
前記フランジが、前記湾曲状天井パネルの周辺体を形成するために相互に連結されている、請求項１３に記載の湾曲状天井パネル。
【請求項１５】
前記フランジが、すべてが共通の平面にある、請求項１３に記載の湾曲状天井パネル。
【請求項１６】
前記湾曲状天井パネルが、金属で組み立てられている、請求項１１に記載の湾曲状天井パネル。
【請求項１７】
前記湾曲状天井パネルが、ポリマーで組み立てられている、請求項１１に記載の湾曲状天井パネル。
【請求項１８】
吊り下げ式天井とともに使用するための湾曲状天井パネルであって、
第１面と第２面とを有している湾曲壁と、
前記湾曲壁に隣接し、湾曲状縁部と実質的に直線状の縁部とを有している上方延出状第１側壁と、
前記湾曲壁に隣接するとともに前記第１側壁に対向しており、湾曲状縁部と実質的に直線状の縁部とを有している上方延出状第２側壁と、
前記パネルの前記縁部に沿って形成され、前記湾曲状パネルを支持するようになっている前記嵌め込み型フランジと、
を備え、
前記第１側壁と前記第２側壁とが、前記湾曲壁によって相互に連結されている、湾曲状天井パネル。
【請求項１９】
前記湾曲状天井パネルが、前記湾曲状天井パネルの縁部に沿って定置されたヒンジを含む、請求項１８に記載の湾曲状天井パネル。
【請求項２０】
構造体へ連結するための吊り下げ式湾曲状パネル天井システムであって、
水平状格子を形成するために交差しているとともに、水平部材と垂直部材とを有している前記直線状格子部材と、
複数の湾曲状天井パネルであり、当該湾曲状天井パネルの第１縁部から第２縁部まで延びているアーチ壁を有しており、前記アーチ壁が第１面と第２面とを有している、前記複数の湾曲状天井パネルと、
前記アーチ壁に連結された第１側壁であり、当該第１側壁と前記アーチ壁との前記相互連結によって湾曲状縁部が形成され、当該第１側壁が、前記アーチ壁の前記第１面から離れて延出しているとともに、前記第１および第２縁部に対して垂直に向けられた第３縁部を有し、前記第３縁部が、前記格子部材へ連結されるようになっている実質的に直線状のフランジを含む、前記第１側壁と、
前記アーチ壁に連結された第２側壁であり、当該第２側壁と前記アーチ壁との前記相互連結によって湾曲状縁部が形成され、当該第２側壁が、前記アーチ壁の前記第１面から離れて延出しているとともに、前記第１および第２縁部に対して垂直に向けられ、かつ、前記第３縁部に対して平行である第４縁部を有し、前記第４縁部が、前記格子部材へ連結されるようになっている実質的に直線状のフランジを含む、前記第２側壁と、
を備える、吊り下げ式湾曲状パネル天井システム。
【請求項２１】
前記湾曲状天井パネルの前記第１および第２縁部が、前記格子部材へ連結されるようになっている実質的に直線状のフランジをそれぞれ含む、請求項２０に記載の吊り下げ式湾曲状パネル天井システム。
【請求項２２】
前記フランジが、前記湾曲状パネルを前記水平状格子の内側に支持するとともに前記位置を保持するようになっているタブを含む、請求項２０に記載の吊り下げ式湾曲状パネル天井システム。
【請求項２３】
前記湾曲状パネルが、前記水平状格子の内側における第１位置に向けられており、前記アーチ壁の前記第１面が、前記水平状格子の下方から見ることができる、請求項２０に記載の吊り下げ式湾曲状パネル天井システム。
【請求項２４】
前記湾曲状パネルが、前記水平状格子の内側における第２位置に向けられており、前記アーチ壁の前記第２面が、前記水平状格子の下方から見ることができる、請求項２０に記載の吊り下げ式湾曲状パネル天井システム。
【請求項２５】
前記湾曲状パネルが、金属で組み立てられている、請求項２０に記載の吊り下げ式湾曲状パネル天井システム。
【請求項２６】
前記湾曲状パネルが、ポリマーで組み立てられている、請求項２０に記載の吊り下げ式湾曲状パネル天井システム。
【請求項２７】
構造体へ連結するための吊り下げ式湾曲状パネル天井システムであって、
水平状格子を形成するために交差しているとともに、水平部材と垂直部材とを有している前記直線状格子部材と、
複数の湾曲状天井パネルであり、当該湾曲状天井パネルの第１縁部から第２縁部まで延びているアーチ壁を有しており、前記アーチ壁が第１面と第２面とを有している、前記複数の湾曲状天井パネルと、
前記アーチ壁に連結された第１側壁であり、当該第１側壁と前記アーチ壁との前記相互連結によって湾曲状縁部が形成され、当該第１側壁が、前記アーチ壁の前記第１面から離れて延出しているとともに、前記第１および第２縁部に対して垂直に向けられた第３縁部を有し、前記第３縁部が、前記格子部材へ連結されるようになっている嵌め込み型フランジを含む、前記第１側壁と、
前記アーチ壁に連結された第２側壁であり、当該第２側壁と前記アーチ壁との前記相互連結によって湾曲状縁部が形成され、当該第２側壁が、前記アーチ壁の前記第１面から離れて延出しているとともに、前記第１および第２縁部に対して垂直に向けられ、かつ、前記第３縁部に対して平行である第４縁部を有し、前記第４縁部が、前記格子部材へ連結されるようになっている嵌め込み型フランジを含む、前記第２側壁と、
を備える、吊り下げ式湾曲状パネル天井システム。
【請求項２８】
前記湾曲状天井パネルが、前記格子から前記湾曲状天井パネルを取り外す必要なく前記湾曲状天井パネルが閉鎖位置から開放位置まで枢動することができるようになっているヒンジをさらに含む、請求項２７に記載の吊り下げ式湾曲状パネル天井システム。
【発明の詳細な説明】
【背景】
【０００１】
本開示内容は、吊り下げ式天井システムに関するものであり、さらに詳しくは、水平な格子構造体とともに使用されるようになっている平坦な周辺体と組み合わされる、湾曲状外面を有する湾曲状天井パネルを使用する、新規であって改良されたシステムに関するものである。
【０００２】
背景として、これらに限定されるものではないが、吊り下げ式天井システムは、典型的には反対方向へ延びている天井パネル支持用フランジが設けられた格子部材が含まれている。これらのシステムでは、天井パネルの縁部は、格子部材によって作り出されるパネル開口の中にそれらを据え込むことで、取り付けられている。また、金属製天井パネルの垂直延出状縁部を把持するように設計された溝が含まれている格子部材を有する吊り下げ式天井システムも存在している。これらの天井パネルは、典型的にはフランジを格子部材の溝の中へ嵌め込むことで取り付けられており、一般に、「嵌め込み型天井パネル」と称されている。典型的な据え込み型格子パネルは、水平な格子の内側に嵌まるように製造されており、また、本来は平坦である。典型的な天井システムでは湾曲状天井面を得るために、湾曲状パネルが湾曲状天井格子部材と組み合わせて使用されている。天井構造体を形成するために湾曲状格子部材を使用すると、コストが増大するとともに、取り付けが困難である。
【０００３】
上記のことを考慮すると、湾曲状天井面がもたらされる一方で標準的な水平状格子構成体の使用が可能である天井システムについての要望がある、ということを認識すべきである。本開示によれば、これらの要望および他の要望が満たされるとともに、さらに別の関連した利点がもたらされる。
【概要】
【０００４】
本開示は、平坦な格子システムと組み合わされて使用されるときに湾曲状あるいは波状の天井面の外観を呈する、新規であって改良された湾曲状吊り下げ天井システムとして説明することができる。好ましい実施形態では、湾曲状パネルシステムは、湾曲壁によって形成された湾曲状外面がある金属製あるいはポリマー製の湾曲状パネルを備えている。この湾曲状パネルには、湾曲壁へ取り付けられ、かつ、第１縁部に沿う湾曲面と第２縁部に沿う実質的に直線状の面とを含む一対の対向側壁が、含まれている。直線状縁部のそれぞれには、湾曲状パネルを平坦な格子システムの格子部材へ取り付けることができるフランジが含まれている。湾曲状パネルは、湾曲壁の面を天井格子の上方あるいは下方に対向するように向けることができるようそれらを反転させることができるように設計されている。据え付けの際、湾曲状パネルは、波打ち状あるいは波状のパターンを形成して、下方から見たときに所望の効果をもたらすために、交互に反転させることができる。
【０００５】
本開示の他の特徴および利点は、本開示の実施形態が説明され、示されている以下の記載および添付図面においてある程度、説明されており、また、添付図面とともに与えられた以下の詳細な説明を考察することで明らかになろう。
【０００６】
添付図面とともに採用されている本開示の実施形態についての以下の説明を参照すると、本開示の上記特徴および他の特徴ならびにそれらを得る方法が一層明らかなものとなり、また、本開示が最も良く理解されよう。
【詳細な説明】
【０００７】
本開示は、特定の実施形態が示されている添付図面を参照することで、これ以降、充分に説明されているが、当業者が所望の結果をなお達成しながら本明細書に記載されている開示を修正することができる、ということは最初に理解すべきである。したがって、以下の説明は、当業者へ向けられた広い情報的開示として理解すべきものであって、本開示における限定事項として理解すべきものではない。
【０００８】
図面に示されるように、図１には、本開示に係る湾曲状天井パネル１０が組み込まれている組立後の吊り下げ天井の一部が示されている。このような天井パネルシステムでは、格子部材１２が、格子構造体１３を形成するために相互連結されている。格子部材１２は、湾曲状天井パネル１０を受け入れるように配寸された開口を形成するように構成されている。格子部材１２は、ワイヤハンガー１６あるいは他の支持用構造体によって、建造物から吊り下げられている。
【０００９】
格子構造体１３を作り出すために、均等な間隔に並んだ平行な列状格子部材１２がワイヤハンガー１６によって吊り下げられている。格子部材１２のそれぞれの列は、湾曲状天井パネル１０の大きさを収容するような間隔が設けられている。２フィート×２フィートの天井パネルを収容するためには、格子部材１２は、中央において２フィートの間隔が設けられている。格子構造体１３には、湾曲状天井パネル１０を吊るすために必要な開口を作り出すために、第１組の格子部材１２に対して垂直方向に向けられた第２組の格子部材１８もまた含まれている。
【００１０】
湾曲状天井パネル１０は、通常形状が長方形あるいは正方形であって、金属あるいはポリマーで作られていることが好ましい。湾曲状天井パネル１０は、これらが衝撃抵抗性に富む点で耐久性があり、格子部材１２同士の間に渡される場合に、自己支持性が低下しない。金属材料およびポリカーボネートのようなプラスチックポリマー材料が好ましいが、その理由は、パネルを所望の形状が含まれるようにあるいは格子構造体１３への連結のために様々な縁部構造が形成されるように成形しあるいは打ち抜くことができるためである。これに代えて、とりわけ他の剛性材料および半剛性材料、ガラス強化石膏、木材あるいは熱成形繊維を使用することができる。
【００１１】
図１および図２に示されるように、格子構造体１３の内側に使用される湾曲状天井パネル１０には湾曲壁２０が備わっており、この壁２０には、第１面２２と、この第１面２２に背中合わせにされている第２面２４とが含まれている。格子構造体１３の内側における湾曲状パネル１０の向きに左右されるが、第１面２２かあるいは第２面２４かのいずれかを格子構造体１３の下方領域へ露出させることができる。湾曲状天井パネル１０の湾曲壁２０は、その長さに渡って湾曲しており、かつ、湾曲状天井パネル１０の第１縁部２６から第２縁部２８まで延びている。湾曲状天井パネル１０にはまた、第１側壁３０と、間隔を置いて配置された第２側壁３２とが含まれている。第１側壁３０は第２側壁３２に対して実質的に平行である。
【００１２】
湾曲状天井パネル１０の第１側壁３０には、比較的直線状の縁部３４と湾曲状縁部３６とが含まれている。第１側壁３０の湾曲状縁部３６は、パネル１０の中央領域では直線状縁部３４から間隔が置かれているが、湾曲状縁部３６の端点３８では直線状縁部３４に収束している。湾曲状縁部３６は、湾曲壁２０と第１側壁３０とが交差することによって形成されている。
【００１３】
パネル１０の第２側壁３２は、第１側壁３０に対して平行であるとともに、そこから間隔を置いて配置されている。パネル１０の第２側壁３２には、図５に示されるように、比較的直線状の縁部４０と湾曲状縁部４２とが含まれている。第２側壁３２の湾曲状縁部４２は、パネル１０の中央領域では直線状縁部４０から間隔が置かれているが、湾曲状縁部４２の端点４４では直線状縁部４０に収束している。湾曲状縁部４２は、湾曲壁２０と第２側壁３２とが交差することによって形成されている。
【００１４】
パネル１０の第１縁部２６および第２縁部２８によって、パネル１０の周辺体の一部が形成されている。第１縁部２６には、パネル１０から外方へ延びる第１フランジ４６が含まれている。第１フランジ４６は、パネル１０を支持するのに役立つように、格子構造体１３の格子部材１２へ連結されるよう適合されている。据え込み型パネル構成体では、図２に示されるように、第１フランジ４６は、水平に向けられているとともに、格子部材１２の基底部分５８の上に載置されている。嵌め込み型パネル構成体を使用するときには、第１フランジ４６は、格子部材１２の溝部分へ連結されるように適合されている。第２縁部２８には、パネル１０から外方へ延びる第２フランジ４８が含まれている。第２フランジ４８は、図４に示されるように、パネル１０を支持するのに役立つように、格子構造体１３の格子部材１２へ連結されるよう適合されている。
【００１５】
湾曲状パネル１０の第１側壁３０の直線状縁部３４には、図３に示されるように、湾曲状パネル１０から外方へ延びる第３フランジ５０が含まれている。第３フランジ５０は、パネル１０を支持するのに役立つように、格子構造体１３の格子部材１２へ連結されるよう適合されている。第２側壁３２の直線状縁部４０には、湾曲状パネル１０から外方へ延びる第４フランジ５２が含まれている。第１、第２、第３および第４のフランジ４６，４８，５０および５２によって、湾曲状天井パネル１０の周辺体が形成されている。これらのフランジ４６，４８，５０および５２には、湾曲状天井パネル１０を格子構造体１３に保持するのに役立つタブが含まれていてもよい。
【００１６】
図１および図２に示されるように、この湾曲状天井システムでは、フランジ４６，４８の使用によって格子構造体１３へ連結された湾曲状パネル１０が示されている。湾曲状天井パネル１０はフランジで格子構造体１３へ連結されていることが好ましいが、湾曲状天井パネル１０を天井構造体１３の上方における保守点検のための開放位置へ枢動することができるように、ヒンジを使用することができる。フランジ状縁部とヒンジ状縁部とが開示されているが、湾曲状天井パネル１０を格子システム１３へ固定するために他の縁部構造を使用することができる。金属製天井パネルがすべて、４フィート×４フィートほどの大きさになる場合には、湾曲状天井パネル１０を支持するためにヒンジを使用することが有益であるが、その理由は、これらのパネルが、それらの比較的大きい寸法および重量のために据え付けおよび取り外しが厄介になるからである。ヒンジの使用についてのさらに別の例示は、参照によって本明細書に組み入れられた米国特許第６，４６７，２２８号に見ることができる。そのような大きい面を有する一片のシートメタルで作業をする場合には、不適切な取り扱いによって天井パネル１０の全体仕上げが損われることになる場合もある。また、湾曲状天井パネル１０の幅にわたるヒンジを使用することによって、パネルの重量が湾曲状パネル１０の縁部全体へ分布されているので、湾曲状パネル１０の湾曲面２０に現れるであろう波打ち現象が防止される。さらにまた、湾曲状天井パネル１０が格子部材１２へいったん連結されると、天井パネル１０を上方へ枢動させてフランジを格子の中へ嵌め込むことで、湾曲状天井パネル１０は自動的に整列する。
【００１７】
図２に示されるように、この例における格子部材１２は、型成形されたシートメタルから組み立てられている。組み立てられた後の格子部材１２には、球状部分５６、基底部分５８、および球状部分５６と基底部分５８とを連結するブリッジ部分６０が含まれている。格子部材１２の全体形状は、部材１２にたわみを防止する強度を持たせるようになっている。典型的には、ワイヤハンガー１６を球状部分５６に通してその周りに巻き付けることができるように、窓穴（図示略）がブリッジ部分６０の長さに沿って配置される。図１に示されるように、ワイヤの形態であってもよいワイヤハンガー１６が、窓穴（図示略）および球状部分５６の周りに通されると、ワイヤハンガー１６は、それ自体の周りに数回巻き付けられて、ほどけないようになっている。
【００１８】
ブリッジ部分６０には、格子構造体１３を形成するために、１つの格子部材１２を第２格子部材１８へ連結することができるスロット（図示略）が含まれていることが普通である。図２に示されるように、基底部分５８は、ブリッジ部分６０の二重層を９０度外方へ曲げるとともに１８０度内方へ曲げて平坦面を形成することによって、形成されている。ヒンジが使用されるときには、修正型格子部材１２が使用され、それには、格子部材１２の底部分に配置されたボックス状の溝が含まれている。ヒンジは、そのヒンジを９０度上方へ型成形して上方延出状脚部を作り出し、その後、その縁部を９０度内方へ型成形して内向きリップ部を作り出すことによって、形成されている。ヒンジの内向きリップ部は格子部材１２の溝の内部に載置されている。図２に示されるフランジ４６，４８，５０，５２は、湾曲状天井パネル１０の縁部３４，３６，４０，４２を型成形しあるいは成形して外方へ水平面を形成することによって、形成されている。天井パネル１０は、格子部材の基底部分５８の上にフランジ４６，４８，５０，５２を定置することによって、格子構造体１３に保持されている。
【００１９】
建造物の環境区域は、労働を行うかあるいは他の活動を行うために居住者によって使用される建物の内部における空間として、定義される。それは、構造物の内部における居住可能な空間である。湾曲状天井パネル１０の湾曲壁２０は、環境区域から実質的に露出しており、居住者によって下方から見ることができる。格子構造体１３の内側における湾曲状天井パネル１０の向きに左右されるが、第１面２２か第２面２４かのいずれかは、環境区域の下方から見ることができる。湾曲状天井パネル１０が湾曲壁２０とともにアーチ形位置に配置されると、第１面２２は下方から見ることができる。湾曲状天井パネル１０が格子構造体１３の内側で湾曲壁２０とともに逆アーチ形位置に配置されると、湾曲壁２０の第２面２４は環境区域の下方から見ることができる。
【００２０】
湾曲状天井パネル１０は、格子構造体１３に連結されるようになっている４つの縁部を備えて設計されている。湾曲状天井パネル１０は、様々な縁部構造を使用して格子構造体１３へ連結することができる。これらの縁部は、嵌め込みか据え込みのいずれかの構成が可能であるフランジに装備することができる。
【００２１】
使用に際して、湾曲状天井パネル１０は、独自の天井外観をもたらすための経済的な解決法である。この構成によれば、平坦な格子構造体１３を容易に組み込むように利用しながら、波状あるいは起伏状の天井外観を呈することができる。この湾曲状天井パネルを使用すれば、アーチ形位置に向けられたすべてのパネルあるいは逆アーチ形位置に向けられたすべてのパネルが含まれる様々なパターンを天井に形成することができる。パネルの向きを隣接する格子開口において交互にすることで、波状あるいは起伏状のパターンを作ることができる。標準的な直線状格子部材を使用することができるので、格子構造体１３に対してパネルを適切な向きに固定するための付加的なハードウェアは必要でない。湾曲状格子部材が使用されているシステムでは、パネルが格子部材の形状に確実に従うようにするための付加的な固定具を使用する必要がある。
【００２２】
本開示の概念は図面およびこれまでの記載で詳しく図示されているとともに説明してきたが、そのような図示および説明は、特性において例示的なものであり限定的なものではないとみなすべきであり、例示的な実施形態だけが図示されかつ説明してきたということと、本開示の精神の範囲に含まれる変形および修正のすべてが所望されかつ保護されるということを理解すべきである。
【００２３】
本明細書に記載されている装置、システムおよび方法の様々な特徴から生じる、本開示から推測することができる複数の利点が存在している。本開示の装置、システムおよび方法のそれぞれに代わる実施形態には、そのような特徴の推測される利点の少なくともいくつかより、なお一層有益であると説明されている特徴のすべては含むことができない、ということが分かる。当業者は、本開示の特徴の１つ以上が組み入れられておりその特許請求の範囲により定義されているこの発明の精神および範囲に属する、装置、システムおよび方法のそれらの実施形態を容易に考案することができる。
【図面の簡単な説明】
【００２４】
【図１】天井システムの斜視図であって、湾曲状天井パネルを示している。
【図２】２−２線に沿った天井システムの断面図であって、格子システムへ連結された湾曲状天井パネルを示している。
【図３】本湾曲状天井パネルの斜視図である。
【図４】本湾曲状天井パネルの上面図である。
【図５】本湾曲状天井パネルの側面図である。
【図６】本湾曲状天井パネルの端面図である。
【図１】
2008507643.tif 000003
【図２】
2008507643.tif 000004
【図３】
2008507643.tif 000005
【図４】
2008507643.tif 000006
【図５】
2008507643.tif 000007
【図６】
2008507643.tif 000008
【国際調査報告】
2008507643.tif 000009